(57)【要約】【課題】外部に投写することなく画像を確認することが可能なプロジェクター及びその制御方法を提供する。【解決手段】筐体２の前面２ｆには、投写レンズの射出面を露出させるための開口部３が形成されている。開口部３には、カバー部材としてのレンズカバー４が開閉可能に備えられており、開口部３をレンズカバー４で閉塞することによって、投写レンズの射出面を保護することが可能になっている。レンズカバー４は、光透過性と光拡散性とを備えており、裏面（投写レンズ７０に対向する面）で受光した画像光を前面（裏面の反対面）に透過させて表示する透過型のスクリーンとして機能するようになっている。つまり、レンズカバー４が閉状態である場合には、投写レンズから射出された画像光は、レンズカバー４に照射され、レンズカバー４の前面に画像Ｇｉが表示される。【選択図】図１０
2011022235.tif 000002
【特許請求の範囲】
【請求項１】
光を射出する光源装置と、
前記光源装置から射出された光を変調して画像光を形成する光変調装置と、
前記光変調装置で形成された画像光を投写する投写光学系と、
前記投写光学系を覆う閉状態、及び前記投写光学系を露出させて前記画像光を外部に投写させる開状態を切り替え可能なカバー部材と、
を備え、
前記カバー部材は、前記閉状態の場合に、前記投写光学系に対向する面で前記画像光を受光して透過させ、受光した前記面の反対面に表示することを特徴とするプロジェクター。
【請求項２】
請求項１に記載のプロジェクターであって、
レンズで構成され、前記画像光を前記カバー部材の位置で合焦させる光学装置をさらに備え、
前記光学装置は、前記カバー部材が前記閉状態の場合に、前記画像光の光路に挿入されることを特徴とするプロジェクター。
【請求項３】
請求項２に記載のプロジェクターであって、
前記光学装置は、前記カバー部材に固定されていることを特徴とするプロジェクター。
【請求項４】
請求項１に記載のプロジェクターであって、
前記投写光学系は、前記カバー部材の位置にも合焦させることが可能なフォーカス調整機構を備えていることを特徴とするプロジェクター。
【請求項５】
請求項１〜４のいずれか１項に記載のプロジェクターであって、
前記カバー部材の開閉状態を検出するカバー検出部と、
前記光源装置の明るさを調整する光源制御部と、
をさらに備え、
前記光源制御部は、前記カバー検出部の検出結果に基づき、前記カバー部材が前記閉状態の場合には、前記開状態の場合に比べて、前記光源装置の明るさを暗くすることを特徴とするプロジェクター。
【請求項６】
請求項１〜４のいずれか１項に記載のプロジェクターであって、
前記カバー部材の開閉状態を検出するカバー検出部と、
前記カバー検出部の検出結果に基づいて、前記光変調装置で形成する前記画像光を左右反転させる画像処理部と、を
さらに備えたことを特徴とするプロジェクター。
【請求項７】
請求項４に記載のプロジェクターであって、
前記カバー部材の開閉状態を検出するカバー検出部と、
前記カバー検出部の検出結果に基づいて、前記フォーカス調整機構を駆動するフォーカス駆動部と、
をさらに備えたことを特徴とするプロジェクター。
【請求項８】
光を射出する光源装置と、前記光源装置から射出された光を変調して画像光を形成する光変調装置と、前記光変調装置で形成された画像光を投写する投写光学系と、前記投写光学系を覆う閉状態、及び前記投写光学系を露出させて前記画像光を外部に投写させる開状態を切り替え可能なカバー部材と、を備えたプロジェクターの制御方法であって、
前記カバー部材の開閉状態を検出する検出ステップと、
前記検出ステップでの検出結果に基づき、前記カバー部材が前記閉状態の場合には、前記開状態の場合に比べて、前記光源装置の明るさを暗くする輝度調整ステップと、
を備えたことを特徴とするプロジェクターの制御方法。
【請求項９】
光を射出する光源装置と、前記光源装置から射出された光を変調して画像光を形成する光変調装置と、前記光変調装置で形成された画像光を投写する投写光学系と、前記投写光学系を覆う閉状態、及び前記投写光学系を露出させて前記画像光を外部に投写させる開状態を切り替え可能なカバー部材と、を備えたプロジェクターの制御方法であって、
前記カバー部材の開閉状態を検出する検出ステップと、
前記検出ステップでの検出結果に基づき、前記カバー部材が前記閉状態の場合には、透過型のスクリーンに適した表示方向で前記画像光を投写させる画像処理ステップと、
を備えたことを特徴とするプロジェクターの制御方法。
【発明の詳細な説明】
【技術分野】
【０００１】
本発明は、光源装置から射出された光を変調して投写するプロジェクター及びその制御方法に関する。
【背景技術】
【０００２】
外部のスクリーン等に画像を拡大して投写するプロジェクターを利用する際、大画面で表示することなく画像を確認したい場合がある。例えば、プレゼンテーションのリハーサルを行ったり、プレゼンテーションで使用する画像（スライド）を事前に選別したりする際には、それを行うユーザーのみが画像を確認できればよい。ここで、パーソナルコンピューターからプロジェクターに画像が供給される場合には、プロジェクターで画像を投写しなくとも、パーソナルコンピューターのディスプレー上で画像の確認が可能である。ところが、ディスプレーを備えていない画像再生装置等から供給される画像を投写する場合や、ＤＶＤ（Digital Versatile Disc）や半導体メモリー等の記録媒体に記録されている画像をプロジェクターが読み出して投写する態様では、スクリーン等に投写してみなければ、画像の確認を行うことはできない。
【０００３】
特許文献１に記載のビデオプロジェクターでは、筐体（ケース）にモニタースクリーンが配設されており、外部に画像を投写する状態と、モニタースクリーンに画像を投写する状態とを切り替え可能になっている。そして、このモニタースクリーンに画像を投写するようにすれば、外部に大画面で投写することなく画像の確認が可能となる。また、プロジェクターに液晶ディスプレーのような画像表示装置を備えるようにすれば、この画像表示装置で画像の確認を行うこともできる。
【先行技術文献】
【特許文献】
【０００４】
【特許文献１】特開平５−２０７４０５号公報
【発明の概要】
【発明が解決しようとする課題】
【０００５】
しかしながら、特許文献１に記載のビデオプロジェクターは、画像を外部に投写するための光路の他に、画像をモニタースクリーンに投写するための光路が筐体内に必要になるとともに、光路を切り替えるための手段を設けなければならないため、装置が大型化しやすいという問題点を有している。また、プロジェクターに画像表示装置を備えた構成では、コストが上昇してしまうという問題がある。
【課題を解決するための手段】
【０００６】
本発明は、上述の課題の少なくとも一部を解決するためになされたものであり、以下の形態又は適用例として実現することが可能である。
【０００７】
［適用例１］本適用例に係るプロジェクターは、光を射出する光源装置と、前記光源装置から射出された光を変調して画像光を形成する光変調装置と、前記光変調装置で形成された画像光を投写する投写光学系と、前記投写光学系を覆う閉状態、及び前記投写光学系を露出させて前記画像光を外部に投写させる開状態を切り替え可能なカバー部材と、を備え、前記カバー部材は、前記閉状態の場合に、前記投写光学系に対向する面で前記画像光を受光して透過させ、受光した前記面の反対面に表示することを特徴とする。
【０００８】
このプロジェクターによれば、カバー部材が投写光学系を覆っている閉状態では、光変調装置で形成された画像光がカバー部材に投写（表示）されるため、外部に投写することなく画像を確認することが可能となる。また、画像光をカバー部材に投写する状態と、外部に投写する状態とを、カバー部材の開閉によって切り替える構成であるため、装置内に新たな光路を設ける必要がなく、装置の大型化が抑制される。
【０００９】
［適用例２］上記適用例に係るプロジェクターにおいて、レンズで構成され、前記画像光を前記カバー部材の位置で合焦させる光学装置をさらに備え、前記光学装置は、前記カバー部材が前記閉状態の場合に、前記画像光の光路に挿入されることが望ましい。
【００１０】
このプロジェクターによれば、カバー部材が投写光学系を覆う閉状態の場合に、画像光をカバー部材の位置で合焦させる光学装置が光路に挿入されるため、カバー部材に投写された画像を、焦点が合った状態で確認することが可能となる。
【００１１】
［適用例３］上記適用例に係るプロジェクターにおいて、前記光学装置は、前記カバー部材に固定されていることが望ましい。
【００１２】
このプロジェクターによれば、光学装置がカバー部材に固定されているため、カバー部材を閉状態にするだけで光学装置が挿入されることになり、光学装置の挿入を容易に行うことが可能となる。
【００１３】
［適用例４］上記適用例に係るプロジェクターにおいて、前記投写光学系は、前記カバー部材の位置にも合焦させることが可能なフォーカス調整機構を備えていることが望ましい。
【００１４】
このプロジェクターによれば、投写光学系が、カバー部材の位置にも合焦させることが可能なフォーカス調整機構を備えているため、カバー部材の位置で合焦させるための光学装置を別途備える必要がなくなる。
【００１５】
［適用例５］上記適用例に係るプロジェクターにおいて、前記カバー部材の開閉状態を検出するカバー検出部と、前記光源装置の明るさを調整する光源制御部と、をさらに備え、前記光源制御部は、前記カバー検出部の検出結果に基づき、前記カバー部材が前記閉状態の場合には、前記開状態の場合に比べて、前記光源装置の明るさを暗くすることが望ましい。
【００１６】
このプロジェクターによれば、カバー部材が投写光学系を覆っている閉状態では、投写光学系を露出させて画像光を外部に投写する開状態に比べて、光源装置の明るさが暗くなるため、カバー部材に投写される画像を適切な明るさで確認することが可能となる。
【００１７】
［適用例６］上記適用例に係るプロジェクターにおいて、前記カバー部材の開閉状態を検出するカバー検出部と、前記カバー検出部の検出結果に基づいて、前記光変調装置で形成する前記画像光を左右反転させる画像処理部をさらに備えることが望ましい。
【００１８】
このプロジェクターによれば、カバー部材の開閉に応じて画像光が左右反転するため、画像光をカバー部材に投写する場合と、外部に投写して投写面に反射させる場合の双方において、正しい向きで画像を表示させることが可能となる。
【００１９】
［適用例７］上記適用例に係るプロジェクターにおいて、前記カバー部材の開閉状態を検出するカバー検出部と、前記カバー検出部の検出結果に基づいて、前記フォーカス調整機構を駆動するフォーカス駆動部と、をさらに備えることが望ましい。
【００２０】
このプロジェクターによれば、カバー部材の開閉に応じてフォーカス状態が調整されるため、画像光をカバー部材に投写する場合と、外部に投写する場合の双方において、適切なフォーカス状態で画像を表示させることが可能となる。
【００２１】
［適用例８］本適用例に係るプロジェクターの制御方法は、光を射出する光源装置と、前記光源装置から射出された光を変調して画像光を形成する光変調装置と、前記光変調装置で形成された画像光を投写する投写光学系と、前記投写光学系を覆う閉状態、及び前記投写光学系を露出させて前記画像光を外部に投写させる開状態を切り替え可能なカバー部材と、を備えたプロジェクターの制御方法であって、前記カバー部材の開閉状態を検出する検出ステップと、前記検出ステップでの検出結果に基づき、前記カバー部材が前記閉状態の場合には、前記開状態の場合に比べて、前記光源装置の明るさを暗くする輝度調整ステップと、を備えたことを特徴とする。
【００２２】
このプロジェクターの制御方法によれば、カバー部材が投写光学系を覆っている閉状態では、投写光学系を露出させて画像光を外部に投写する開状態に比べて、光源装置の明るさが暗くなるため、カバー部材に投写される画像を適切な明るさで確認することが可能となる。
【００２３】
［適用例９］本適用例に係るプロジェクターの制御方法は、光を射出する光源装置と、前記光源装置から射出された光を変調して画像光を形成する光変調装置と、前記光変調装置で形成された画像光を投写する投写光学系と、前記投写光学系を覆う閉状態、及び前記投写光学系を露出させて前記画像光を外部に投写させる開状態を切り替え可能なカバー部材と、を備えたプロジェクターの制御方法であって、前記カバー部材の開閉状態を検出する検出ステップと、前記検出ステップでの検出結果に基づき、前記カバー部材が前記閉状態の場合には、透過型のスクリーンに適した表示方向で前記画像光を投写させる画像処理ステップと、を備えたことを特徴とする。
【００２４】
このプロジェクターの制御方法によれば、カバー部材が投写光学系を覆っている閉状態では、透過型のスクリーンに適した表示方向で画像光が投写されるため、カバー部材に投写される画像を正しい向き表示させることが可能となる。
【図面の簡単な説明】
【００２５】
【図１】プロジェクターの斜視図。
【図２】プロジェクターの平面図であり、スリットの周辺の部位を部分的に示す図。
【図３】（ａ）、（ｂ）は、プロジェクターの正面図であり、レンズカバーの開閉状態を示す図。
【図４】プロジェクターの概略構成を示すブロック図。
【図５】画像投写部より詳細に説明するための説明図であり、光源装置から射出される光の光路を示す図。
【図６】（ａ）、（ｂ）は、画像光の表示方向を説明するための説明図。
【図７】（ａ）、（ｂ）は、筐体の内部を示す平面図であり、開口部の周辺構造を示す図。
【図８】スタンバイ状態において電源キーが操作された場合のプロジェクターの動作を説明するためのフローチャート。
【図９】外部のスクリーンに画像光を投写する様子を示す斜視図。
【図１０】レンズカバーに画像光を投写する様子を示す正面図。
【図１１】レンズカバーが閉状態から開状態に切り替わった際に表示する画像の例を示す図。
【図１２】変形例に係るプロジェクターの概略構成を示すブロック図。
【図１３】変形例に係るプロジェクターの概略構成を示すブロック図。
【発明を実施するための形態】
【００２６】
以下、本実施形態に係るプロジェクターについて、図面を参照して説明する。本実施形態のプロジェクターは、光源装置から射出された光を画像情報に応じて変調して画像光を形成し、この画像光を投写レンズから外部に拡大投写して、外部のスクリーン等に画像情報に応じた画像を表示するものである。
【００２７】
図１は、本実施形態のプロジェクターの斜視図である。
図１に示すように、プロジェクター１は、装置本体が筐体２によって覆われた構成になっており、筐体２の上面２ｔには、ユーザーの入力操作を受け付ける入力操作部８２が設けられている。
【００２８】
筐体２の前面２ｆには、投写レンズ７０の射出面を露出させるための開口部３が形成されている。開口部３には、カバー部材としてのレンズカバー４が開閉可能に備えられており、開口部３をレンズカバー４で閉塞することによって、投写レンズ７０の射出面を保護することが可能になっている。レンズカバー４は、略矩形の板状体であり、その１つの角部には、開閉操作を行うための操作ツマミ４ａが一体的に形成されている（図３参照）。操作ツマミ４ａは、筐体２の上面２ｔに形成されたスリット５から露出しており、そのスリット５に沿って操作ツマミ４ａを左右にスライドさせることによって、レンズカバー４の開閉を行うことができる。また、操作ツマミ４ａは、筐体２の上面２ｔよりも上方に突出するようになっており、開閉操作を容易にしている。
【００２９】
図２は、プロジェクター１の平面図であり、スリット５の周辺の部位を部分的に示している。また、図３（ａ）、（ｂ）は、プロジェクター１の正面図であり、レンズカバー４の開閉状態を示している。
図２に示すように、スリット５は、筐体２の前面２ｆと略平行に形成されており、レンズカバー４は、操作ツマミ４ａがスリット５の一方の端部５ａに当接する位置と、他方の端部５ｂに当接する位置との間を移動可能になっている。
【００３０】
操作ツマミ４ａをスライドさせて、スリット５の一方の端部５ａに当接させると、レンズカバー４は、図３（ａ）に示すように開口部３を閉塞し、投写レンズ７０の射出面を覆う。また、操作ツマミ４ａをスライドさせて、スリット５の他方の端部５ｂに当接させると、レンズカバー４は、図３（ｂ）に示すように、投写レンズ７０の前方（投写方向）から退避し、開口部３を開放させる。この結果、開口部３から投写レンズ７０が露出し、外部への画像光の投写が可能な状態となる。なお、これ以降、操作ツマミ４ａをスリット５の端部５ａに当接させたときのレンズカバー４の状態を「閉状態」と呼び、操作ツマミ４ａをスリット５の端部５ｂに当接させたときのレンズカバー４の状態を「開状態」と呼ぶ。つまり、レンズカバー４は、操作ツマミ４ａがスライドされることにより、閉状態と開状態との切り替えが可能になっている。
【００３１】
本実施形態のレンズカバー４は、光透過性と光拡散性とを備えており、裏面（投写レンズ７０に対向する面）で受光した画像光を前面（裏面の反対面）に透過させて表示する透過型のスクリーンとして機能するようになっている。つまり、レンズカバー４が閉状態である場合には、投写レンズ７０から射出された画像光は、レンズカバー４に照射されることになるため、レンズカバー４の前面に画像Ｇｉが表示される（図１０参照）。一方、レンズカバー４が開状態である場合には、投写レンズ７０から射出された画像光は、開口部３から筐体２の外部に射出され、スクリーンＳＣ等に画像Ｇｉが表示される（図９参照）。
【００３２】
図４は、プロジェクター１の概略構成を示すブロック図である。
図４に示すように、プロジェクター１は、画像投写部１０、制御部８０、記憶部８１、入力操作部８２、画像情報入力部８３、画像処理部８４、液晶パネル駆動部８５、電源回路８６、光源制御部８７、カバー検出部８８等で構成されている。
【００３３】
画像投写部１０は、光源装置２０、光変調装置としての３つの液晶パネル６１（６１Ｒ，６１Ｇ，６１Ｂ）、投写光学系としての投写レンズ７０等を含んでいる。画像投写部１０は、表示部に相当するものであり、光源装置２０から射出された光を、液晶パネル６１で変調して画像光を形成し、この画像光を投写レンズ７０から投写することによってスクリーンＳＣやレンズカバー４に画像Ｇｉを表示する。
【００３４】
図５は、画像投写部１０をより詳細に説明するための説明図であり、光源装置２０から射出される光の光路を示している。
図５に示すように、画像投写部１０は、光源装置２０、インテグレーター光学系３０、色光分離光学系４０、リレー光学系５０、画像形成部６０、投写レンズ７０等を備えており、これらは、筐体２の内部に適宜配置されている。画像形成部６０には、液晶パネル６１が備えられており、プロジェクター１は、光源装置２０から射出された光を液晶パネル６１で変調して画像光を形成する。
【００３５】
光源装置２０は、超高圧水銀ランプやメタルハライドランプ等からなる放電型の光源ランプ２１と、放物面鏡や楕円面鏡等からなるリフレクター２２を備えて構成されている。光源ランプ２１から射出された放射状の光束は、光源ランプ２１を覆うように配置されたリフレクター２２で反射されて略平行光束となり、インテグレーター光学系３０へと射出される。
【００３６】
インテグレーター光学系３０は、第１のレンズアレイ３１と、第２のレンズアレイ３２と、偏光変換素子３３と、重畳レンズ３４とを備えて構成され、光源装置２０から射出された光束の輝度分布を一様する機能を有している。第１のレンズアレイ３１及び第２のレンズアレイ３２は、それぞれ微小なレンズ３１ａ，３２ａがマトリクス状に配置された構成になっており、光源装置２０から入射した光束は、第１のレンズアレイ３１によって多数の微小な部分光束に分割される。第２のレンズアレイ３２及び重畳レンズ３４は、分割された部分光束のそれぞれが、照明対象である液晶パネル６１の全体に照射するように備えられている。このため、各部分光束が液晶パネル６１で重畳され、液晶パネル６１の全体がほぼ均一に照明される。
【００３７】
偏光変換素子３３は、光源装置２０からの光を液晶パネル６１で効率よく利用可能とするため、特定の偏光方向を有する偏光光に揃える機能を有している。インテグレーター光学系３０を射出した偏光光は、色光分離光学系４０に入射する。
【００３８】
色光分離光学系４０は、第１のダイクロイックミラー４１と、第１の反射ミラー４２と、第２のダイクロイックミラー４３とを備えており、インテグレーター光学系３０から射出された光を、波長域の異なる３色の光に分離する。第１のダイクロイックミラー４１は、略赤色の光（赤色光Ｒ）を反射するとともに、赤色光Ｒよりも短波長の光を透過する。第１のダイクロイックミラー４１で反射した赤色光Ｒは、第１の反射ミラー４２でさらに反射し、平行化レンズ３５で平行化されて画像形成部６０の赤色光用の液晶パネル６１Ｒを照明する。
【００３９】
第２のダイクロイックミラー４３は、略青色の光（青色光Ｂ）を透過するとともに、透過する光よりも長波長の光を反射する。このため、第１のダイクロイックミラー４１を透過した光のうち、略緑色の光（緑色光Ｇ）は、第２のダイクロイックミラー４３によって反射し、平行化レンズ３５で平行化されて画像形成部６０の緑色光用の液晶パネル６１Ｇを照明する。また、青色光Ｂは、第２のダイクロイックミラー４３を透過してリレー光学系５０に入射する。そして、リレー光学系５０を経由した後、平行化レンズ３５で平行化されて画像形成部６０の青色光用の液晶パネル６１Ｂを照明する。
【００４０】
なお、青色光Ｂの経路は他の色光の経路に比べて長くなってしまうことから、青色光Ｂの経路には、光束の発散によって液晶パネル６１への照明効率が低下するのを抑制するために、リレー光学系５０が設けられている。リレー光学系５０は、入射側レンズ５１と、第２の反射ミラー５２と、リレーレンズ５３と、第３の反射ミラー５４とを備えており、リレー光学系５０に入射した青色光Ｂは、入射側レンズ５１によってリレーレンズ５３の近傍で収束し、平行化レンズ３５に向けて発散する。
【００４１】
画像形成部６０は、光変調装置としての３つの液晶パネル６１（赤色光用の液晶パネル６１Ｒ、緑色光用の液晶パネル６１Ｇ、青色光用の液晶パネル６１Ｂ）と、各液晶パネル６１の入射側及び射出側にそれぞれ配置された入射側偏光板６２及び射出側偏光板６３と、色合成光学系としてのクロスダイクロイックプリズム６４とを備えて構成されている。
【００４２】
液晶パネル６１は、一対の透明基板間に液晶が封入されたものであり、透明基板の内面には、液晶に対して微小領域（画素）毎に駆動電圧を印加可能な透明電極（画素電極）がマトリクス状に形成されている。入射側偏光板６２及び射出側偏光板６３は、それぞれ特定の偏光方向の偏光光のみを透過可能であり、入射側偏光板６２は、偏光変換素子３３によって揃えられた偏光方向の偏光光を透過可能になっている。このため、液晶パネル６１に向けて照射された各色光の大部分は入射側偏光板６２を透過して、液晶パネル６１に入射する。
【００４３】
ここで、液晶パネル６１の各画素に、画像情報に基づく駆動電圧が印加されると、液晶パネル６１に入射した光は、駆動電圧に応じて変調され、画素毎に異なる偏光方向を有した偏光光となる。この偏光光のうち、射出側偏光板６３を透過可能な偏光成分のみが射出側偏光板６３から射出される。つまり、液晶パネル６１及び射出側偏光板６３が、画像情報に応じて画素毎に異なる透過率で入射光を透過させることによって、階調を有する画像光が色光毎に形成される。射出側偏光板６３から射出した各色光からなる画像光は、クロスダイクロイックプリズム６４に入射する。
【００４４】
クロスダイクロイックプリズム６４には、赤色光を反射する誘電体多層膜と、青色光を反射する誘電体多層膜とが、４つの直角プリズムの界面に沿って略Ｘ字状に設けられており、射出側偏光板６３からから射出された各色の画像光は、これらの誘電体多層膜によって合成される。クロスダイクロイックプリズム６４で合成された画像光は、カラーの画像光として射出面６４ｘから射出され、投写レンズ７０に入射する。
【００４５】
投写レンズ７０は、クロスダイクロイックプリズム６４の射出面６４ｘ側に配置されており、画像形成部６０で形成された画像光を拡大して投写する。投写レンズ７０から射出された画像光は、外部のスクリーンＳＣやレンズカバー４等に投写される。
【００４６】
図４に戻って、制御部８０は、ＣＰＵ（Central Processing Unit）や、各種データ等の一時記憶に用いられるＲＡＭ（Random Access Memory）等を備え、記憶部８１に記憶されている制御プログラムに従って動作することによりプロジェクター１の動作を統括制御する。つまり、制御部８０は、記憶部８１とともにコンピューターとして機能する。
【００４７】
記憶部８１は、マスクＲＯＭ（Read Only Memory）や、フラッシュメモリー、ＦｅＲＡＭ（Ferroelectric RAM：強誘電体メモリー）等の不揮発性のメモリーにより構成されている。記憶部８１には、プロジェクター１の動作を制御するための制御プログラムや、プロジェクター１の動作条件等を規定する各種設定データ等が記憶されている。
【００４８】
入力操作部８２は、ユーザーからの入力操作を受け付けるものであり、ユーザーがプロジェクター１に対して各種指示を行うための複数の操作キーを備えている。入力操作部８２が備える操作キーとしては、電源のオンとオフとを切り替えるための電源キーや、各種設定を行うための設定メニューを表示させるメニューキー、設定メニューで項目の選択等に用いられる方向キー等がある。ユーザーが入力操作部８２の各種操作キーを操作すると、入力操作部８２は、ユーザーの操作内容に応じた操作信号を制御部８０に出力する。なお、入力操作部８２として、遠隔操作が可能なリモコン（図示せず）を用いた構成としてもよい。この場合、リモコンは、ユーザーの操作内容に応じた赤外線の操作信号を発信し、図示しないリモコン信号受信部がこれを受信して制御部８０に伝達する。
【００４９】
画像情報入力部８３は、ＵＳＢ（Universal Serial Bus）メモリーやメモリーカード等、半導体メモリーを備えた記録媒体Ｍを接続するための接続端子（図示せず）を備えている。そして、接続端子に接続されている記録媒体Ｍから、その中に記録されている画像ファイルを読み出し、この画像ファイルに基づく画像情報を生成して画像処理部８４に出力する。なお、画像情報入力部８３は、半導体メモリーを備えた記録媒体Ｍから画像ファイルを読み出す態様に限られず、外部の画像出力装置（各種画像再生装置等）から画像情報が入力される態様であってもよいし、ＤＶＤ等の光学的な記録媒体から自ら画像情報を再生する態様であってもよい。
【００５０】
画像処理部８４は、画像情報入力部８３から入力される画像情報を、液晶パネル６１Ｒ，６１Ｇ，６１Ｂの各画素の階調を表す画像情報に変換する。ここで、変換された画像情報は、Ｒ，Ｇ，Ｂの色光別になっており、各液晶パネル６１Ｒ，６１Ｇ，６１Ｂのすべての画素に対応する複数の画素値によって構成されている。画素値とは、対応する画素の光透過率を定めるものであり、この画素値によって、各画素から射出する光の強弱（階調）が規定される。さらに、画像処理部８４は、制御部８０の指示に基づいて、変換した画像情報に対して、明るさ、コントラスト、シャープネス、色合い等を調整するための画質調整処理や、投写する画像上に設定メニュー等を重畳表示させるためのＯＳＤ（オンスクリーンディスプレー）処理等を行い、処理後の画像情報を液晶パネル駆動部８５に出力する。
【００５１】
また、画像処理部８４は、画像情報を変換する際、制御部８０の指示に基づいて、画像光の向き（表示方向）を左右反転させることができる。具体的には、図６（ａ）に示すように、画像光を反射型のスクリーンＳＣ１に投写した場合に、スクリーンＳＣ１に対してプロジェクター１と同じ側にいる観察者Ｐ１が正しい向きで画像を視認することができる表示方向（以降、「第１の表示方向」とも呼ぶ。）と、図６（ｂ）に示すように、画像光を透過型のスクリーンＳＣ２に投写した場合に、スクリーンＳＣ２に対してプロジェクター１の反対側にいる観察者Ｐ２が正しい向きで画像を視認することができる表示方向（以降、「第２の表示方向」とも呼ぶ。）とを切り替えることができる。ユーザーは、設定メニューによって使用状況に応じた表示方向を選択することが可能になっており、ユーザーに選択された表示方向は、記憶部８１に記憶される。
【００５２】
液晶パネル駆動部８５は、画像処理部８４から入力される画像情報に従って液晶パネル６１Ｒ，６１Ｇ，６１Ｂを駆動し、液晶パネル６１Ｒ，６１Ｇ，６１Ｂに、画像情報に応じた画像光を形成させる。これにより、画像情報に基づく画像光が投写レンズ７０からスクリーンＳＣ等に投写される。
【００５３】
電源回路８６には、外部からＡＣ１００Ｖ等の商用電源が供給される。電源回路８６は、商用電源（交流電源）を所定の電圧の直流電源に変換し、プロジェクター１の各部に電力を供給する。なお、制御部８０は、電源回路８６から電力の供給を受けて動作している間、電源回路８６に指示をして、画像光の投写に必要な電力（動作電力）を各部に供給する状態（「オン状態」とも呼ぶ。）と、各部への動作電力の供給を停止させた状態（「スタンバイ状態」とも呼ぶ。）とを切り替えることができる。
【００５４】
光源制御部８７は、制御部８０の指示に基づいて、光源装置２０に対する電力の供給と停止とを制御し、光源装置２０の点灯及び消灯を切り替える。また、光源制御部８７は、供給する電力（波形）を制御して、光源装置２０の明るさ（発光輝度）を、相対的に暗い低輝度と、相対的に明るい高輝度の２段階に調整することができる。
【００５５】
カバー検出部８８は、制御部８０の指示に基づいてレンズカバー４の開閉状態を検出し、検出結果を制御部８０に出力する。
【００５６】
図７は、筐体２の内部を示す平面図であり、開口部３の周辺構造を示す図である。本図において、（ａ）は、レンズカバー４が閉状態であるときの様子を示しており、（ｂ）は、レンズカバー４が開状態であるときの様子を示している。
【００５７】
図７（ａ）、（ｂ）に示すように、カバー検出部８８は、例えば、ＬＥＤ等の発光素子、及びフォトトランジスター等の受光素子（いずれも図示せず）を有する反射型のフォトインタラプターを備えて構成される。このカバー検出部８８は、投写レンズ７０に対して、レンズカバー４が閉じる方向に備えられており、カバー検出部８８の発光素子は、前方（投写方向）に向けて光を照射する。そして、カバー検出部８８は、受光素子の受光量に基づいて、投写レンズ７０の前方にレンズカバー４の一部が位置しているか否か、即ちレンズカバー４が閉状態であるか否かを検出し、検出結果を制御部８０に出力する。なお、本実施形態では、レンズカバー４が閉状態であるか否かを検出するようにしているが、開状態であるか否かを検出するようにしてもよいし、閉状態及び開状態の双方を検出するようにしてもよい。
【００５８】
また、同図に示すように、レンズカバー４の裏面には、光学装置７５が固定されており、レンズカバー４を開閉（スライド）させると、光学装置７５もレンズカバー４に連動して移動する。光学装置７５は、投写レンズ７０から射出された画像光をレンズカバー４の位置で合焦させるための光学系であり、１つ又は複数のレンズによって構成されている。図７（ａ）に示すように、レンズカバー４が閉状態の場合には、光学装置７５は、投写レンズ７０とレンズカバー４の間、即ち画像光の光路に挿入されることになり、投写レンズ７０から射出された画像光は、合焦された状態でレンズカバー４に表示される。一方、図７（ｂ）に示すように、レンズカバー４が開状態の場合には、光学装置７５は、レンズカバー４とともに画像光の光路から退避するため、画像光は、開口部３を通って筐体２の外部に投写される。
【００５９】
次に、本実施形態のプロジェクター１の動作について説明する。
プロジェクター１に商用電源が供給されると、電源回路８６は、制御部８０、記憶部８１、入力操作部８２に電力（スタンバイ電力）の供給を行い、制御部８０は、この電力供給を受けて、制御プログラムに従った動作を開始する。商用電源が供給された直後には、プロジェクター１は、スタンバイ状態（「オフ状態」とも呼ぶ。）であり、この状態では、制御部８０は、光源装置２０を消灯させた状態のまま、入力操作部８２の電源キーに対する操作を監視する。
【００６０】
図８は、スタンバイ状態において電源キーが操作された場合のプロジェクター１の動作を説明するためのフローチャートである。スタンバイ状態において電源キーの操作がなされると、制御部８０は、図８に示すフローに従って動作する。
【００６１】
図８に示すように、ステップＳ１０１では、制御部８０は、電源回路８６に指示をして、各部への動作電力の供給を開始させ、プロジェクター１をオン状態に移行させる。
【００６２】
ステップＳ１０２では、制御部８０は、カバー検出部８８に指示をして、レンズカバー４の開閉状態を検出させ、続くステップＳ１０３では、カバー検出部８８の検出結果に基づいて、レンズカバー４が閉状態であるか否かを判断する。この結果、レンズカバー４が閉状態でない場合にはステップＳ１０４に移行し、閉状態である場合にはステップＳ１０７に移行する。
【００６３】
レンズカバー４が閉状態ではなくステップＳ１０４に移行した場合には、制御部８０は、光源制御部８７に指示をして、光源装置２０を高輝度で点灯させる。そして、ステップＳ１０５では、制御部８０は、ユーザーに選択されている表示方向を記憶部８１から読み出し、ステップＳ１０６では、読み出した表示方向で画像光を投写するよう画像処理部８４に指示をして、フローを終了する。これ以降、画像情報入力部８３が読み出した画像ファイルに応じた画像光が画像投写部１０から投写され、外部のスクリーンＳＣ等にユーザーに選択されている表示方向で画像Ｇｉが表示される（図９参照）。
【００６４】
一方、レンズカバー４が閉状態であってステップＳ１０７に移行した場合には、制御部８０は、光源制御部８７に指示をして、光源装置２０を低輝度で点灯させる。そして、ステップＳ１０８では、制御部８０は、ユーザーに選択されている表示方向に拘らず、透過型のスクリーンＳＣ２に適した第２の表示方向で画像光を投写するよう画像処理部８４に指示をして、フローを終了する。これ以降、画像情報入力部８３が読み出した画像ファイルに応じた画像光が画像投写部１０から投写され、閉状態のレンズカバー４の前面に、正しい向きで画像Ｇｉが表示される（図１０参照）。なお、レンズカバー４に画像光を投写する場合には、外部の離れた位置に画像光を拡大投写する場合に比べて光源装置２０を明るくする必要がないことから、ステップＳ１０７において低輝度で光源装置２０を点灯させるようにしている。
【００６５】
制御部８０は、画像Ｇｉを表示している最中も、カバー検出部８８の検出結果に基づいてレンズカバー４の開閉状態を監視する。そして、開閉状態の変化に連動して光源装置２０の明るさや画像光の表示方向を切り替える。例えば、レンズカバー４を開いて外部に画像光を投写している状態で、ユーザーがレンズカバー４を閉じると、制御部８０は、光源制御部８７に指示をして、光源装置２０の輝度を低輝度に切り替える。そして、ユーザーに選択されている表示方向に拘らず、透過型のスクリーンＳＣ２に適した第２の表示方向で画像光を投写するよう画像処理部８４に指示する。この結果、プロジェクター１は、外部に画像光を投写する状態から、レンズカバー４に画像光を投写する状態に切り替わる。
【００６６】
同様に、レンズカバー４を閉じてレンズカバー４に画像光を投写している状態で、ユーザーがレンズカバー４を開いた場合には、制御部８０は、光源制御部８７に指示をして、光源装置２０の輝度を高輝度に切り替える。そして、ユーザーに選択されている表示方向を記憶部８１から読み出し、その表示方向で画像光を投写するよう画像処理部８４に指示する。この結果、プロジェクター１は、レンズカバー４に画像光を投写する状態から、外部に画像光を投写する状態に切り替わる。
【００６７】
ただし、レンズカバー４に投写される画像光をユーザーが見ている途中に、誤ってレンズカバー４を開いてしまった場合を想定すると、光源装置２０の発光輝度が急に高輝度になることによってユーザーに眩しさを感じさせてしまう恐れがある。このため、レンズカバー４が開いた場合でも、所定の操作（例えば、入力操作部８２の操作キーの操作）がなされるまでは、光源装置２０の発光輝度を低輝度のまま維持するようにしてもよい。或いは、図１１に示すように、レンズカバー４が開いた際に、光源装置２０の発光輝度を高輝度にするものの、画像情報に基づく画像Ｇｉの代わりに、多数の画素が暗色（例えば、黒色）となる画像Ｇｂを一時的に投写するようにしてもよい。そして、その後で所定の操作がなされた場合に、画像情報に基づく画像Ｇｉの投写（表示）を再開すればよい。
【００６８】
以上説明したように、本実施形態のプロジェクター１によれば、以下の効果を得ることができる。
【００６９】
（１）本実施形態のプロジェクター１によれば、レンズカバー４が投写レンズ７０を覆っている閉状態では、液晶パネル６１で形成された画像光がレンズカバー４に投写（表示）されるため、外部に投写することなく画像Ｇｉを確認することが可能となる。また、画像光をレンズカバー４に投写する状態と、外部に投写する状態とを、レンズカバー４の開閉によって切り替える構成であるため、装置内に新たな光路を設ける必要がなく、装置の大型化が抑制される。また、プロジェクター１に画像Ｇｉを確認するための表示装置（例えば、液晶ディスプレー）を備える場合に比べて、安価な構成で画像Ｇｉを確認することができる。
【００７０】
（２）本実施形態のプロジェクター１によれば、レンズカバー４が投写レンズ７０を覆う閉状態の場合に、画像光をレンズカバー４の位置で合焦させる光学装置７５が光路に挿入されるため、レンズカバー４に投写された画像Ｇｉを、焦点が合った状態で確認することが可能となる。また、光学装置７５がレンズカバー４に固定されているため、レンズカバー４を閉状態にするだけで光学装置７５が光路に挿入されることになり、光学装置７５の挿入を容易に行うことが可能となる。
【００７１】
（３）本実施形態のプロジェクター１によれば、レンズカバー４が投写レンズ７０を覆っている閉状態では、投写レンズ７０を露出させて画像光を外部に投写する開状態に比べて、光源装置２０の明るさを暗くしているため、レンズカバー４に投写される画像Ｇｉを適切な明るさで確認することが可能となる。
【００７２】
（４）本実施形態のプロジェクター１によれば、レンズカバー４が閉状態の場合には、透過型のスクリーンＳＣ２に適した第２の表示方向で画像光が投写され、レンズカバー４が閉状態ではない場合には、ユーザーに選択された表示方向で画像光が投写される。また、画像光の表示方向は、レンズカバー４の開閉状態の変化に連動して切り替わるため、画像光を外部に投写する場合と、レンズカバー４に投写する場合の双方において、正しい向きで画像Ｇｉを表示させることが可能となる。例えば、画像光を外部に投写する際の表示方向として、一般的なスクリーン（反射型のスクリーンＳＣ１）に適した表示方向（第１の表示方向）が選択されている場合には、レンズカバー４の開閉に連動して画像光が左右反転することになり、常に正しい向きで画像Ｇｉが表示される。
【００７３】
（変形例）
なお、上記実施形態は、以下のように変更してもよい。
【００７４】
上記実施形態では、画像光をレンズカバー４に投写する際には、外部に投写する場合に比べて光源装置２０の発光輝度を低下させているが、レンズカバー４の光透過率がさほど高くない場合には、発光輝度を低下させる必要はない。
【００７５】
上記実施形態では、レンズカバー４をスライドさせて開閉する態様を示したが、これに限定されず、回動により開閉するものであってもよいし、取り外しが可能な離脱式のカバー部材（レンズキャップ）を採用してもよい。
【００７６】
上記実施形態では、光学装置７５がレンズカバー４に固定された態様を示したが、この態様に限定されない。例えば、図１２に示すように、光学装置７５を移動させて光路内に進入させたり、光路から退避させたりするレンズ駆動部９１を備えるとともに、レンズカバー４が閉じられた際には、光学装置７５が光路内に進入するように制御部８０がレンズ駆動部９１を制御する態様にすることも可能である。また、光学装置７５を挿入する位置は、投写レンズ７０の射出側に限られず、投写レンズ７０の入射側であってもよいし、投写レンズ７０の途中であってもよい。
【００７７】
上記実施形態において、投写レンズ７０が、レンズカバー４の位置にも合焦させることが可能なフォーカス調整機構７０ａ（図１３参照）を備えている場合には、必ずしも光学装置７５は必要ではない。また、図１３に示すように、制御部８０の指示に基づいてフォーカス調整機構７０ａを駆動するフォーカス駆動部９２を備えるとともに、レンズカバー４が閉じられたことをカバー検出部８８が検出した場合には、レンズカバー４の位置で合焦するように制御部８０がフォーカス駆動部９２を制御するようにしてもよい。
【００７８】
上記実施形態では、カバー検出部８８は、反射型のフォトインタラプターを用いてレンズカバー４の開閉状態を検出する構成を示しているが、透過型のフォトインタラプターを用いた構成にすることも可能であるし、他の光センサーや磁気センサー等を用いてもよい。また、光センサーや磁気センサーのように非接触で位置を検出する非接触式のセンサーに限られず、接触式のセンサーを用いることも可能である。
【００７９】
上記実施形態では、光変調装置として３つの液晶パネル６１Ｒ，６１Ｇ，６１Ｂを用いた３板式のプロジェクター１について説明したが、光変調装置の態様は、これに限定されない。例えば、各画素の中にそれぞれＲ光、Ｇ光、Ｂ光を透過可能なサブ画素を含んだ１つの液晶パネルによって画像光を形成する態様とすることも可能である。
【００８０】
上記実施形態では、光変調装置として、透過型の液晶パネル６１を用いているが、反射型の液晶パネル等、反射型の光変調装置を用いることも可能である。また、入射した光の射出方向を画素としてのマイクロミラー毎に制御することにより、光源装置２０から射出した光を変調する微小ミラーアレイデバイス等を用いることもできる。
【００８１】
上記実施形態では、光源装置２０は、放電型の光源ランプ２１によって構成されているが、ＬＥＤ光源等の固体光源や、その他の光源を用いることもできる。
【符号の説明】
【００８２】
１…プロジェクター、２…筐体、３…開口部、４…レンズカバー、４ａ…操作ツマミ、５…スリット、１０…画像投写部、２０…光源装置、２１…光源ランプ、２２…リフレクター、３０…インテグレーター光学系、３１…第１のレンズアレイ、３２…第２のレンズアレイ、３３…偏光変換素子、３４…重畳レンズ、３５…平行化レンズ、４０…色光分離光学系、４１…第１のダイクロイックミラー、４２…第１の反射ミラー、４３…第２のダイクロイックミラー、５０…リレー光学系、５１…入射側レンズ、５２…第２の反射ミラー、５３…リレーレンズ、５４…第３の反射ミラー、６０…画像形成部、６１，６１Ｒ，６１Ｇ，６１Ｂ…液晶パネル、６２…入射側偏光板、６３…射出側偏光板、６４…クロスダイクロイックプリズム、７０…投写レンズ、７０ａ…フォーカス調整機構、７５…光学装置、８０…制御部、８１…記憶部、８２…入力操作部、８３…画像情報入力部、８４…画像処理部、８５…液晶パネル駆動部、８６…電源回路、８７…光源制御部、８８…カバー検出部、９１…レンズ駆動部、９２…フォーカス駆動部、Ｍ…記録媒体、ＳＣ，ＳＣ１，ＳＣ２…スクリーン。
【図１】
2011022235.tif 000003
【図２】
2011022235.tif 000004
【図３】
2011022235.tif 000005
【図４】
2011022235.tif 000006
【図５】
2011022235.tif 000007
【図６】
2011022235.tif 000008
【図７】
2011022235.tif 000009
【図８】
2011022235.tif 000010
【図９】
2011022235.tif 000011
【図１０】
2011022235.tif 000012
【図１１】
2011022235.tif 000013
【図１２】
2011022235.tif 000014
【図１３】
2011022235.tif 000015